(57)【特許請求の範囲】
【請求項１】
左耳用スピーカと、複数の電気接点を配設してなるユニット接続端子と、を有してなる左耳用筐体と、
右耳用スピーカと、上記左耳用筐体のユニット接続端子と同一形状のユニット接続端子と、を有してなる右耳用筐体と、
上記左耳用筐体と右耳用筐体とを一体的に連結する連結部と、
上記左耳用スピーカに供給する左用音声信号を伝送するための左用音声信号伝送線と、
上記右耳用スピーカに供給する右用音声信号を伝送するための右用音声信号伝送線と、
上記左耳用筐体のユニット接続端子に含まれる電気接点と上記右耳用筐体のユニット接続端子に含まれる電気接点とに接続されていて映像信号を伝送するための映像信号伝送線と、
を有する本体ユニットと、
上記本体ユニットの左耳用筐体と右耳用筐体の何れに対しても着脱自在に接続され得るものであって、
映像を表示する表示素子と、
上記ユニット接続端子に接続可能な接続端子と、
この接続端子から入力される映像信号に基づき上記表示素子を駆動する表示素子駆動手段と、
を有し、上記左耳用筐体に接続された際には上記表示素子が使用者の左眼の眼前に位置し、上記右耳用筐体に接続された際には上記表示素子が使用者の右眼の眼前に位置するようになされた映像再生ユニットと、
を具備したことを特徴とする頭部装着型映像音声再生システム。
【請求項２】
上記左耳用筐体のユニット接続端子および上記右耳用筐体のユニット接続端子は、ユニット左右装着位置検出用の電気接点を含んでなり、
上記映像再生ユニットは、このユニット左右装着位置検出用の電気接点の検出を行うことにより、左耳用筐体と右耳用筐体の何れに接続されたかを判断し、その判断結果に基づいて、上記表示素子に表示させる映像が正常な上下左右位置となるように上記表示素子駆動手段を制御する制御手段をさらに有してなるものであることを特徴とする請求項１に記載の頭部装着型映像音声再生システム。
【請求項３】
バッテリと、
上記ユニット接続端子に接続可能であって、このバッテリからの電力を供給し得る接続端子と、
を有するバッテリユニットをさらに具備し、
上記本体ユニットを単体で使用する使用形態と、該本体ユニットの左耳用筐体または右耳用筐体の何れか一方にのみ上記映像再生ユニットを接続して使用する使用形態と、該本体ユニットの左耳用筐体または右耳用筐体の何れか一方に上記映像再生ユニットを接続しかつ他方に上記バッテリユニットを接続して使用する使用形態と、を取り得るようになされたことを特徴とする請求項２に記載の頭部装着型映像音声再生システム。
【請求項４】
上記本体ユニットは、電源を供給するためのものであって、上記左耳用筐体のユニット接続端子および上記右耳用筐体のユニット接続端子の各電気接点に接続される電源供給線をさらに有してなり、
上記映像再生ユニットは、該電源供給線から電源が供給可能か否か、および上記バッテリユニットから電源が供給可能か否か、を検出して、両方から電源が供給可能な場合には、該バッテリユニットからの電源供給を停止させて該電源供給線からの電源供給のみを行わせる入力電源切換回路をさらに有してなるものであることを特徴とする請求項３に記載の頭部装着型映像音声再生システム。
【発明の詳細な説明】
【０００１】
【発明の属する技術分野】
本発明は、頭部装着型映像音声再生システム、より詳しくは、左耳用スピーカと右耳用スピーカにより音声を再生することができるとともに、必要に応じて表素子により映像を再生することができる頭部装着型映像音声再生システムに関する。
【０００２】
【従来の技術】
頭部に装着した使用形態で、映像と音声を楽しむことができる頭部装着型映像表示装置は、近年、種々のものが提案されて製品化されており、頭部に装着しても違和感なく使用することができるように、極力軽量化が図られている。
【０００３】
このような頭部装着型映像表示装置では、映像を表示する部分に関して、光学系を工夫するなどにより軽量化を図っているとともに、音声を聴取する部分に関しては、耳内に挿入して用いるインナーホン等を採用することにより、軽量化を図ったものとなっていて、例えば特開平１０−２９３５４４号公報には、両眼タイプの頭部装着型映像表示装置が記載されている。
【０００４】
一方、音楽等の音声を個人的に楽しむためのヘッドホンは、上述したインナーホンタイプのものから、携帯型の音声再生装置に接続するために軽量化を図ったオープンエアー型ヘッドホン、音を繊細に聞き分けることができるように高性能化を図った密閉型ヘッドホン等のものまで、従来より種々のものが用いられている。これらの内の例えば高性能タイプの密閉型ヘッドホンは、音響効果を有するハウジングや、このハウジングの耳に接する側の周辺を覆って外部の音を遮断するイヤーパッド等を備えたり、内部に大口径のスピーカを備えたりしているために、一般に、大型化して重量も増す傾向にある。
【０００５】
ところで、近年の音楽シーンにおいては、例えばプロモーションビデオに代表されるように、音楽のみを楽しむのに加えて、さらに音楽に合わせて作成された映像を楽しむ傾向が生じている。
【０００６】
【発明が解決しようとする課題】
従来のヘッドホンは、それ自体ではもちろんこうした映像を観ることができないために、映像を楽しもうとすると、別途に映像表示装置を使用する必要がある。特にモバイル用途を考えた場合には、例えば、小型の液晶表示素子等を備えたハンディタイプのＤＶＤビデオ再生装置を接続して用いるなどが考えられる。しかしながら、この場合には、音声を聴取すると同時に観察される映像は、小さい画面に表示されたものとなるために、音声が臨場感を伴う高品質なものであっても、映像はそれに相応しい臨場感をもつものとはなっていない。
【０００７】
一方、上述したような従来の頭部装着型映像表示装置では、大画面の映像を観察することは可能であるが、音声を再生する機能が極めて高いとはいえないために、本格的に音楽を聴取するにはやや物足りないものとなる。
【０００８】
そこで、頭部装着型映像表示装置に、インナーホンの代わりにヘッドホンタイプの大型の音声再生装置を備えさせる構成が考えられるが、この場合には、頭部装着型映像表示装置全体の大きさや重量が増してしまい、軽快な使用感や携帯性が損なわれてしまうことになる。
【０００９】
こうして、高品質な音声を楽しむことを重視しながら、合わせて映像も手軽に楽しむことができる装置が望まれている。
【００１０】
本発明は上記事情に鑑みてなされたものであり、高品質な音声を聴取することができるとともに、必要に応じて映像も手軽に観察することができる頭部装着型映像音声再生システムを提供することを目的としている。
【００１１】
【課題を解決するための手段】
上記の目的を達成するために、第１の発明による頭部装着型映像音声再生システムは、左耳用スピーカと複数の電気接点を配設してなるユニット接続端子とを有してなる左耳用筐体と、右耳用スピーカと上記左耳用筐体のユニット接続端子と同一形状のユニット接続端子とを有してなる右耳用筐体と、上記左耳用筐体と右耳用筐体とを一体的に連結する連結部と、上記左耳用スピーカに供給する左用音声信号を伝送するための左用音声信号伝送線と、上記右耳用スピーカに供給する右用音声信号を伝送するための右用音声信号伝送線と、上記左耳用筐体のユニット接続端子に含まれる電気接点と上記右耳用筐体のユニット接続端子に含まれる電気接点とに接続されていて映像信号を伝送するための映像信号伝送線と、を有する本体ユニットと、上記本体ユニットの左耳用筐体と右耳用筐体の何れに対しても着脱自在に接続され得るものであって、映像を表示する表示素子と、上記ユニット接続端子に接続可能な接続端子と、この接続端子から入力される映像信号に基づき上記表示素子を駆動する表示素子駆動手段と、を有し、上記左耳用筐体に接続された際には上記表示素子が使用者の左眼の眼前に位置し、上記右耳用筐体に接続された際には上記表示素子が使用者の右眼の眼前に位置するようになされた映像再生ユニットと、を備えたものである。
【００１２】
また、第２の発明による頭部装着型映像音声再生システムは、上記第１の発明による頭部装着型映像音声再生システムにおいて、上記左耳用筐体のユニット接続端子および上記右耳用筐体のユニット接続端子はユニット左右装着位置検出用の電気接点を含んでなり、上記映像再生ユニットは、このユニット左右装着位置検出用の電気接点の検出を行うことにより、左耳用筐体と右耳用筐体の何れに接続されたかを判断し、その判断結果に基づいて、上記表示素子に表示させる映像が正常な上下左右位置となるように上記表示素子駆動手段を制御する制御手段をさらに有してなるものである。
【００１３】
さらに、第３の発明による頭部装着型映像音声再生システムは、上記第２の発明による頭部装着型映像音声再生システムにおいて、バッテリと、上記ユニット接続端子に接続可能であってこのバッテリからの電力を供給し得る接続端子と、を有するバッテリユニットをさらに備え、上記本体ユニットを単体で使用する使用形態と、該本体ユニットの左耳用筐体または右耳用筐体の何れか一方にのみ上記映像再生ユニットを接続して使用する使用形態と、該本体ユニットの左耳用筐体または右耳用筐体の何れか一方に上記映像再生ユニットを接続しかつ他方に上記バッテリユニットを接続して使用する使用形態と、を取り得るようになされたものである。
【００１４】
第４の発明による頭部装着型映像音声再生システムは、上記第３の発明による頭部装着型映像音声再生システムにおいて、上記本体ユニットが、電源を供給するためのものであって上記左耳用筐体のユニット接続端子および上記右耳用筐体のユニット接続端子の各電気接点に接続される電源供給線をさらに有してなり、上記映像再生ユニットは、該電源供給線から電源が供給可能か否か、および上記バッテリユニットから電源が供給可能か否か、を検出して、両方から電源が供給可能な場合には、該バッテリユニットからの電源供給を停止させて該電源供給線からの電源供給のみを行わせる入力電源切換回路をさらに有してなるものである。
【００１５】
【発明の実施の形態】
以下、図面を参照して本発明の実施の形態を説明する。
図１から図３は本発明の一実施形態を示したものであり、図１は頭部装着型映像音声再生システムの構成例を示す斜視図、図２は頭部装着型映像音声再生システムを装着して使用している様子を示す図、図３は頭部装着型映像音声再生システムの主として電気的な構成を示すブロック図である。
【００１６】
この頭部装着型映像音声再生システムは、図１に示すように、頭部に装着して音声を再生するヘッドホン機能を備えた本体ユニット１に、映像を再生する機能を備えた映像再生ユニット３と、電源を供給する機能を備えたバッテリユニット２と、を着脱自在に接続することができるシステムとして構成されたものであり、上記映像再生ユニット３またはバッテリユニット２が接続されていない場合には、内部に塵芥等が侵入するのを防止し接点等を保護するための保護カバー４を装着し得るようになっている。
【００１７】
このような構成の頭部装着型映像音声再生システムは、上記本体ユニット１を単体で使用する使用形態と、該本体ユニット１の左耳用筐体１Ｌまたは右耳用筐体１Ｒの何れか一方にのみ上記映像再生ユニット３を接続して使用する使用形態と、該本体ユニット１の左耳用筐体１Ｌまたは右耳用筐体１Ｒの何れか一方に上記映像再生ユニット３を接続しかつ他方に上記バッテリユニット２を接続して使用する使用形態と、を取り得るようになされている。
【００１８】
こうして映像再生ユニット３は、使用者の好みや、自発的により使う傾向にある左右両眼の内の効き眼に応じて、左耳用筐体１Ｌと右耳用筐体１Ｒとの何れにも所望に接続することができるようになっている。
【００１９】
同様に、バッテリユニット２は、左耳用筐体１Ｌと右耳用筐体１Ｒの、映像再生ユニット３が接続されていない方に、所望に接続することが可能となっている。
例えば、図２は、使用者が、右耳用筐体１Ｒに映像再生ユニット３、左耳用筐体１Ｌにバッテリユニット２を取り付けた頭部装着型映像音声再生システムを使用する様子を示している。
【００２０】
上記本体ユニット１は、後述する左耳用のスピーカ１５Ｌ（図３参照）を内蔵してなる左耳用筐体１Ｌと、後述する右耳用のスピーカ１５Ｒ（図３参照）を内蔵してなる右耳用筐体１Ｒと、を連結部１Ａにより一体的に連結してなり、該連結部１Ａは、本体ユニット１を頭部に保持するためのヘッドレストを兼ねたものとなっている。
【００２１】
この本体ユニット１は、例えば使用者の耳をほぼ覆うタイプの密閉型ヘッドホン、または使用者の耳の比較的広い領域を覆うオープンエアー型ヘッドホンなどとして構成されており、上記左耳用筐体１Ｌと右耳用筐体１Ｒは、上記スピーカを内蔵するハウジング１１を備えるとともに、このハウジング１１の使用者に接する側にイヤーパッド１２が設けられている。
【００２２】
上記左耳用筐体１Ｌと右耳用筐体１Ｒのハウジング１１には、ユニット装着部１３が設けられており、このユニット装着部１３には複数の電気接点を有してなるユニット接続端子１４が配設されている。このユニット接続端子１４は、左耳用筐体１Ｌに設けられているものと右耳用筐体１Ｒに設けられているものとが、共に同一形状となっており、つまり、左耳用筐体１Ｌのユニット接続端子１４が例えば８つの電気接点Ｃ１〜Ｃ８（図３参照）を下から順に一列に並べてなるとすると、右耳用筐体１Ｒのユニット接続端子１４は８つの電気接点Ｃ１〜Ｃ８を上から順に一列に並べたものとなっている。
【００２３】
上記左耳用筐体１Ｌからはコード５が延出されており、このコード５は例えば途中で２つに分岐して、一方の先端には映像信号や音声信号の供給を受ける５極ＡＶプラグ５Ａが、他方の先端には直流電源の供給を受ける電源プラグ５Ｂが、それぞれ設けられている。
【００２４】
上記映像再生ユニット３は、内部に後述するマイクロコンピュータ４１やＬＣＤドライバ４３等（図３参照）を実装する回路基板が配設された本体部３１と、内部に後述するＬＣＤバックライト４６やＬＣＤパネル４５（図３参照）、このＬＣＤパネル４５に表示される画像を使用者の眼球に投影するための光学系等が配設された表示部３３と、この表示部３３が使用者の眼前に位置するように上記本体部３１から延出させる支持部３２と、を有して構成されていて、上記本体部３１には、電源をオン／オフするためのパワーボタン３４と、画面内に表示される項目を選択する際などに用いられる操作キー３５と、上記ユニット接続端子１４に接続するための接続端子３６と、が設けられている。
【００２５】
上記バッテリユニット２は、いわゆるモバイル用途で使用する際に、上記映像再生ユニット３に電源を供給するためのものであり、例えばリチウムイオン電池等の一次電池や二次電池でなるバッテリ２４を着脱自在に収納する装填室２２を備えた筐体２１と、この装填室２２を覆うバッテリカバー２３と、上記本体ユニット１のユニット接続端子１４に接続するための接続端子２５と、を有して構成されている。
【００２６】
次に、上述したような頭部装着型映像音声再生システムにおいて、本体ユニット１の右耳用筐体１Ｒにバッテリユニット２を接続し、左耳用筐体１Ｌに映像再生ユニット３を接続したときの電気的な構成を図３を参照して説明する。
【００２７】
上記５極ＡＶプラグ５Ａからは、ビデオ信号と、ビデオ信号ＧＮＤと、右用オーディオ信号（Ａｕｄｉｏ  Ｒ）と、左用オーディオ信号（Ａｕｄｉｏ  Ｌ）と、オーディオ信号ＧＮＤ（Ａｕｄｉｏ  ＧＮＤ）と、を入力する線が配線されている。
【００２８】
また、上記電源プラグ５Ｂからは、電源と、電源ＧＮＤと、を入力する線が配線されている。
【００２９】
上述したような７本の線、つまり、映像信号伝送線たるビデオ信号線、ビデオ信号ＧＮＤ線、右用音声信号伝送線たる右用オーディオ信号（Ａｕｄｉｏ  Ｒ）線、左用音声信号伝送線たる左用オーディオ信号（Ａｕｄｉｏ  Ｌ）線、オーディオ信号ＧＮＤ（Ａｕｄｉｏ  ＧＮＤ）線、電源供給線たる電源線、電源ＧＮＤ線は、それぞれ、上記コード５を介して上記左耳用筐体１Ｌ内に配線され、さらに上記連結部１Ａを介して右耳用筐体１Ｒ内に配線されている。
【００３０】
上記左耳用筐体１Ｌと右耳用筐体１Ｒには、比較的大口径で高性能なタイプのスピーカ１５Ｌ，１５Ｒがそれぞれ配設されており、スピーカ１５Ｌには左用オーディオ信号（Ａｕｄｉｏ  Ｌ）線とオーディオ信号ＧＮＤ（Ａｕｄｉｏ  ＧＮＤ）線が配線され、スピーカ１５Ｒには右用オーディオ信号（Ａｕｄｉｏ  Ｒ）線とオーディオ信号ＧＮＤ（Ａｕｄｉｏ  ＧＮＤ）線が配線されている。
【００３１】
上記右耳用筐体１Ｒのユニット接続端子１４には、電気接点Ｃ１に上記電源線が接続され、電気接点Ｃ２に上記電源ＧＮＤ線が接続され、電気接点Ｃ４に上記ビデオ信号ＧＮＤ線が接続され、電気接点Ｃ５に上記ビデオ信号線が接続され、電気接点Ｃ８に上記電気接点Ｃ１と電気接点Ｃ３からの入力線が接続されている。
【００３２】
ここに電気接点Ｃ３は、左耳用筐体１Ｌの電気接点Ｃ３と接続されており、電気接点Ｃ８は、電気接点Ｃ３に接続される線と電気接点Ｃ１に接続される線との途中にそれぞれダイオードを配設することにより、これらの接点側からの入力のみを受ける接点となっている。
【００３３】
また、電気接点Ｃ６と電気接点Ｃ７は、図示しないその他の接続に用いられたり、あるいは将来の拡張用の予約接点となっている。
【００３４】
このような左耳用筐体１Ｌに接続されているバッテリユニット２は、上記バッテリ２４からの電源が電気接点Ｃ３を介して供給されるようになっており、また、電気接点Ｃ２にはグランドが接続されている。
【００３５】
また、上記左耳用筐体１Ｌのユニット接続端子１４には、電気接点Ｃ１に上記電源線が接続され、電気接点Ｃ２に上記電源ＧＮＤ線が接続され、電気接点Ｃ３に上述したように右耳用筐体１Ｒの電気接点Ｃ３が接続され、電気接点Ｃ４に上記ビデオ信号ＧＮＤ線が接続され、電気接点Ｃ５に上記ビデオ信号線が接続されていて、電気接点Ｃ８は、上述した右耳用筐体１Ｒとは異なり、接地されている。
【００３６】
なお、この左耳用筐体１Ｌにおいても、電気接点Ｃ６と電気接点Ｃ７が、図示しないその他の接続に用いられたり、あるいは将来の拡張用の予約接点となっているのは、上述した右耳用筐体１Ｒと同様である。
【００３７】
このような左耳用筐体１Ｌに接続されている映像再生ユニット３は、入力されるビデオ信号から同期信号を分離する同期信号分離回路４２と、この映像再生ユニット３を統括的に制御する制御手段たるマイクロコンピュータ４１と、映像を表示する表示素子たるＬＣＤパネル４５と、ビデオ信号に基づきこのＬＣＤパネル４５を駆動する表示素子駆動手段たるＬＣＤドライバ４３と、上記ＬＣＤパネル４５を照明するＬＣＤバックライト４６と、上記マイクロコンピュータ４１から出力されアナログに変換された信号を増幅して上記ＬＣＤバックライト４６に供給する増幅器４４と、上記マイクロコンピュータ４１が使用する各種のデータ等を記憶するＥＥＰＲＯＭ４７と、上記操作キー３５に対応しその操作に応じた出力を上記マイクロコンピュータ４１に送信するキー入力回路３５ａと、上記バッテリ２４から供給される電源または上記電源プラグ５Ｂから供給される電源の何れを用いるかをその接続状態に応じて切り換える入力電源切換回路と、この入力電源切換回路から供給される直流電源をこの映像再生ユニット３内の各回路（出力先）に応じた電圧（ここでは、例えば、１２Ｖ、９Ｖ、５Ｖの各電圧）に変換して供給するＤＣ／ＤＣコンバータ４８と、を有して構成されている。
【００３８】
まず、上記電気接点Ｃ８は、抵抗Ｒ１を介してマイクロコンピュータ４１に接続されており、この抵抗Ｒ１とマイクロコンピュータ４１を接続する接続線は、抵抗Ｒ２を介して接地されている。
【００３９】
このような構成において、映像再生ユニット３が左耳用筐体１Ｌに接続されているときには、該電気接点Ｃ８はグランドに接続されていることから、マイクロコンピュータ４１は信号レベルがローであることを検出する。
【００４０】
一方、この映像再生ユニット３がもし右耳用筐体１Ｒに接続されている場合には、該電気接点Ｃ８は、電源プラグ５Ｂからの電源線が接続された電気接点Ｃ１、または他方の左耳用筐体１Ｌに取り付けられるバッテリユニット２のバッテリ２４に接続される電気接点Ｃ３の何れかにより、電圧が供給されるために、マイクロコンピュータ４１は信号レベルがハイであることを検出する。
【００４１】
これにより、マイクロコンピュータ４１は、電気接点Ｃ８の検出を行って、それがローである場合には映像再生ユニット３が左耳用筐体１Ｌに接続され、ハイである場合には該映像再生ユニット３が右耳用筐体１Ｒに接続されていると判定することができるようになっている。
【００４２】
上記電気接点Ｃ４は、上述したようにグランドに接続されており、ビデオ信号が入力される上記電気接点Ｃ５と、この映像再生ユニット３の内部において抵抗Ｒ５を介して接続されている。
【００４３】
上記電気接点Ｃ５から入力されるビデオ信号は、上記ＬＣＤドライバ４３に入力される一方で、上記同期信号分離回路４２に入力されて同期信号が抽出され、該同期信号が上記マイクロコンピュータ４１に入力されるようになっている。
【００４４】
マイクロコンピュータ４１は、上記電気接点Ｃ８の検出結果に応じて、すなわち、この映像再生ユニット３が左耳用筐体１Ｌと右耳用筐体１Ｒの何れに接続されているかに応じて、ＬＣＤパネル４５の表示が正しい位置関係となるように、上記ＬＣＤドライバ４３を制御するようになっている。
【００４５】
つまり、映像再生ユニット３が左耳用筐体１Ｌと右耳用筐体１Ｒの何れか一方に接続されているときの映像を、そのまま他方に接続しているときに表示すると、使用者から見たときに上下左右が逆転した映像（つまり、１８０度回転された映像）が観察されてしまうことになる。そこで、映像再生ユニット３が何れに接続されているかに応じて、マイクロコンピュータ４１が、正しい上下左右位置の映像を表示するようにＬＣＤドライバ４３を制御している。
【００４６】
ＬＣＤドライバ４３は、例えば、その内部にＬＣＤパネル４５の各画素に対応する１画面分のバッファを有する構成となっている。マイクロコンピュータ４１は、入力される同期信号に応じて、画素毎の情報をこのバッファに書き込ませるときのバッファ内アドレスを、正方向から順に指定するか、あるいは逆方向から順に指定するかにより、ＬＣＤパネル４５への表示を１８０度回転させる制御を例えば行うことができるようになっている。
【００４７】
また、上記マイクロコンピュータ４１は、上記ＬＣＤバックライト４６も制御するようになっており、上述したように、このマイクロコンピュータ４１から出力されてアナログに変換された信号は、増幅器４４により増幅されて上記ＬＣＤバックライト４６に供給され、上記ＬＣＤパネル４５を照明するようになっている。なお、このＬＣＤパネル４５には、上記ＤＣ／ＤＣコンバータ４８から１２Ｖの電圧が供給されるようになっている。
【００４８】
さらに、上記マイクロコンピュータ４１は、上記パワーボタン３４の押圧操作により後述するように上記ＤＣ／ＤＣコンバータ４８から電源の供給が開始されると、所定の処理ルーチンにより起動時の初期化処理やその後の制御処理等を行うものであり、起動時やその他の警告時等に表示すべきメッセージ情報を上記ＥＥＰＲＯＭ４７から読み出して、そのメッセージ情報に応じたオンスクリーンディスプレイ（ＯＳＤ）信号を上記ＬＣＤドライバ４３に出力し、メッセージ等をＬＣＤパネル４５に表示させるようになっている。
【００４９】
続いて、入力電源切換回路について説明する。
【００５０】
入力電源切換回路は、種々の構成を取り得るが、この図３に示す例においては、パワースイッチ３４ａ、電界効果トランジスタＦＥＴ１，ＦＥＴ２、トランジスタＴｒ１，Ｔｒ２、抵抗Ｒ３，Ｒ４、複数のダイオード等により構成されている。
【００５１】
このような構成の入力電源切換回路により、上記バッテリユニット２から供給される電源と、上記電源プラグ５Ｂから供給される電源と、を切り換える作用について説明する。
【００５２】
まず、上記バッテリユニット２が接続され、かつ上記電源プラグ５Ｂが電源に接続されているときについて説明する。
【００５３】
上記電気接点Ｃ１から入力される電源と、上記電気接点Ｃ３から入力される電源は、電流が逆方向に流れるのを防止するためのダイオード等を介して、パワースイッチ３４ａの一端側の接点に到達し得るようになっている。このパワースイッチ３４ａは、上記パワーボタン３４の操作によりオン／オフするスイッチである。
【００５４】
このパワースイッチ３４ａをオンすると、ダイオード等を介して、該電流はトランジスタＴｒ１，Ｔｒ２のベースに到達し、これらのトランジスタＴｒ１，Ｔｒ２をオンする。
【００５５】
これにより、電界効果トランジスタＦＥＴ１，ＦＥＴ２がそれぞれオンして、上記ＤＣ／ＤＣコンバータ４８に電源が供給され、該ＤＣ／ＤＣコンバータ４８から各回路への電源供給が開始される。
【００５６】
これにより、上記マイクロコンピュータ４１も作動を開始する。
【００５７】
上記電気接点Ｃ１は抵抗Ｒ３を介して、上記電気接点Ｃ３は抵抗Ｒ４を介して、それぞれマイクロコンピュータ４１に接続されており、マイクロコンピュータ４１がこれらのハイ／ローを検出することにより、上記電源プラグ５Ｂからの外部電源とバッテリユニット２とが接続されているか否かを判断する。
【００５８】
今説明しているケースでは、これらの両方が検出されるために、マイクロコンピュータは、ダイオードを介して接続されている上記トランジスタＴｒ２に制御信号を送出してオフさせることにより、ＦＥＴ２をオフさせてバッテリユニット２からの電源供給を遮断させると共に、ダイオードを介して接続されている上記トランジスタＴｒ１はそのままオンの状態を維持させる。
【００５９】
これにより、外部電源とバッテリユニット２の双方が接続されている場合には、バッテリユニット２を用いることなく、外部電源のみを用いるようになっている。
【００６０】
次に、上記バッテリユニット２が接続され、かつ上記電源プラグ５Ｂが電源に接続されていないときについて説明する。
【００６１】
上記パワースイッチ３４ａをオンすると、電気接点Ｃ３から供給される電流は、トランジスタＴｒ１，Ｔｒ２のベースに到達するが、電気接点Ｃ１には電源が供給されていないために、トランジスタＴｒ１はオフのままとなり、トランジスタＴｒ２のみがオンする。
【００６２】
これにより、電界効果トランジスタＦＥＴ２がオンするとともに、電界効果トランジスタＦＥＴ１はオフのままとなる。
【００６３】
こうして、電気接点Ｃ３からの電源が上記ＤＣ／ＤＣコンバータ４８に供給され、該ＤＣ／ＤＣコンバータ４８から各回路への電源供給が開始されて、マイクロコンピュータ４１も作動を開始する。
【００６４】
マイクロコンピュータ４１は、電気接点Ｃ１と電気接点Ｃ３の検出を行うことにより、バッテリユニット２のみが接続されていると判断して、そのままの電源供給の状態を維持させるようになっている。
【００６５】
続いて、上記バッテリユニット２が接続されておらず、かつ上記電源プラグ５Ｂが電源に接続されているときについて説明する。
【００６６】
上記パワースイッチ３４ａをオンすると、電気接点Ｃ１から供給される電流は、トランジスタＴｒ１，Ｔｒ２のベースに到達するが、電気接点Ｃ３には電源が供給されていないために、トランジスタＴｒ２はオフのままとなり、トランジスタＴｒ１のみがオンする。
【００６７】
これにより、電界効果トランジスタＦＥＴ１がオンするとともに、電界効果トランジスタＦＥＴ２はオフのままとなる。
【００６８】
こうして、電気接点Ｃ１からの電源が上記ＤＣ／ＤＣコンバータ４８に供給され、該ＤＣ／ＤＣコンバータ４８から各回路への電源供給が開始されて、マイクロコンピュータ４１も作動を開始する。
【００６９】
マイクロコンピュータ４１は、電気接点Ｃ１と電気接点Ｃ３の検出を行うことにより、電源プラグ５Ｂからの電源のみが接続されていると判断して、そのままの電源供給の状態を維持させるようになっている。
【００７０】
こうして、入力電源切換回路は、外部電源が接続されている場合には、バッテリユニット２が接続されているか否かに関わらず該外部電源を使用し、外部電源が接続されていないときにのみバッテリユニット２から供給される電源を用いるようになっている。
【００７１】
なお、上述では、ユニット装着部１３にバッテリユニット２と映像再生ユニット３の何れもが接続されていない場合には、保護カバー４を取り付けるようにしているが、これに限らず、ハウジング１１にユニット装着部１３を開閉自在に閉蓋するスライド式カバー等を設けるようにしても構わない。
【００７２】
このような実施形態の頭部装着型映像音声再生システムによれば、高品質な音声を聴取することができるとともに、必要に応じて映像も手軽に観察することが可能となる。また、必要に応じてバッテリによる駆動も可能であるために、屋外等で使用するいわゆるモバイル用途にも適したものとなっている。さらに、外部電源が接続されている場合には、バッテリを使用しないようにしているために、バッテリを無駄に消耗させることはない。
【００７３】
なお、本発明は上述した実施形態に限定されるものではなく、発明の主旨を逸脱しない範囲内において種々の変形や応用が可能であることは勿論である。
【００７４】
【発明の効果】
以上説明したように本発明の頭部装着型映像音声再生システムによれば、高品質な音声を聴取することができるとともに、必要に応じて映像も手軽に観察することが可能となる。
【図面の簡単な説明】
【図１】本発明の一実施形態における頭部装着型映像音声再生システムの構成例を示す斜視図。
【図２】上記実施形態の頭部装着型映像音声再生システムを装着して使用している様子を示す図。
【図３】上記実施形態における頭部装着型映像音声再生システムの主として電気的な構成を示すブロック図。
【符号の説明】
１…本体ユニット
１Ａ…連結部
１Ｌ…左耳用筐体
１Ｒ…右耳用筐体
２…バッテリユニット
３…映像再生ユニット
４…保護カバー
５…コード
５Ａ…５極ＡＶプラグ
５Ｂ…電源プラグ
１４…ユニット接続端子
１５Ｌ…左耳用スピーカ
１５Ｒ…右耳用スピーカ
２４…バッテリ
２５…接続端子
３４…パワーボタン
３４ａ…パワースイッチ（入力電源切換回路の一部）
３５…操作キー
３５ａ…キー入力回路
３６…接続端子
４１…マイクロコンピュータ（制御手段）
４３…ＬＣＤドライバ（表示素子駆動手段）
４５…ＬＣＤパネル（表示素子）
４６…ＬＣＤバックライト
Ｃ１，Ｃ２，Ｃ３，Ｃ４，Ｃ５，Ｃ６，Ｃ７，Ｃ８…電気接点
ＦＥＴ１，ＦＥＴ２…電界効果トランジスタ（入力電源切換回路の一部）
Ｔｒ１，Ｔｒ２…トランジスタ（入力電源切換回路の一部）
【図１】
0004598966.tif 000002
【図２】
0004598966.tif 000003
【図３】
0004598966.tif 000004